(57)【要約】【課題】回転圧入鋼管杭を斜杭としてオールケーシング機に安定確実に支持しながら回転圧入施工する。【解決手段】所定の角度に傾斜設置される全旋回オールケーシング機の上面板７６の杭挿通孔７７を通して、下部に螺旋羽根１４を有する回転圧入鋼管杭１を傾斜して機体内に挿入し、回転および昇降動作するチャック２８が鋼管杭１の外周を締結して回転力を加えつつ所定ストローク下動した後、杭外周の締結を解除して上動する動作を繰り返す全旋回オールケーシング機において、上面板７６に、治具本体６７に斜杭振れ止め兼用支持部材６８を取付けて構成される傾斜調整治具６５を配置し、索条６６等の位置決め手段より上面板７６の所定部位に調整位置決めし、支持部材６８を鋼管杭１の外周に当てがって機体の杭挿通部８３に位置する該鋼管杭１の傾斜を調整可能に構成する。【選択図】図１
2004308249.tif 000002
【特許請求の範囲】
【請求項１】
所定の角度に傾斜設置される全旋回オールケーシング機の上面板の杭挿通孔を通して翼又は螺旋羽根を有する回転圧入鋼管杭を傾斜して機体内に挿入し、回転駆動機構および昇降駆動機構により動作するチャックが、回転圧入鋼管杭の外周を締結して回転力を加えつつ所定ストローク下動した後、杭外周の締結を解除して上動する動作を繰り返す全旋回オールケーシング機において、前記上面板に、治具本体に斜杭振れ止め兼用支持部材を取付けて構成される傾斜調整治具を配置し、かつ位置決め手段より上面板の所定部位に調整位置決めし、前記振れ止め兼用支持部材を斜杭の外周に当てがうことで、機体の杭挿通孔に位置する回転圧入鋼管杭の傾斜を調整可能に構成したことを特徴とする全旋回オールケーシング機における斜杭傾斜調整装置。
【請求項２】
前記傾斜調整治具の位置決め手段として、治具本体に設けた索条係止部に牽引ロープや牽引チエーン等の索条の一端側を係止すると共に、他端側を上面板に設けた係止部に係止し、索条の長さを調整可能に設けたことを特徴とする請求項１記載の全旋回オールケーシング機における斜杭傾斜調整装置。
【請求項３】
前記傾斜調整治具の位置決め手段として、治具本体に上下方向に貫通する複数のボルト穴を設けると共に、上面板に複数のボルト穴を設け、傾斜調整治具を上面板の所定部位に位置決めしたうえ、前記治具本体と上面板の各ボルト穴に位置決めボルトを締結することを特徴とする請求項１記載の全旋回オールケーシング機における斜杭傾斜調整装置。
【請求項４】
前記斜杭振れ止め兼用支持部材は、杭の周囲を取囲む湾曲形状であり、その内側支持面には杭の可動促進機構を設けたことを特徴とする請求項１〜３の何れか１項記載の全旋回オールケーシング機における斜杭傾斜調整装置。
【請求項５】
前記可動促進機構は、ボールベアリングまたは回転ローラあるいは低摩擦すべり面の何れかで構成されていることを特徴とする請求項４記載の全旋回オールケーシング機における斜杭傾斜調整装置。
【発明の詳細な説明】
【０００１】
【発明の属する技術分野】
本発明は、鉄塔、道路、橋梁等の構造物あるいは建築物等の構造物を支持するために地盤に圧入される回転圧入鋼管杭を、全旋回オールケーシング機を用いて斜坑として施工するための斜杭傾斜調整設置に関するものである。
【０００２】
【従来の技術】
全旋回オールケーシング機を用いて回転圧入鋼管杭を地盤に直角に圧入施工する施工法は、特許文献１（特開平２００２−１６７７６０号公報）にも記載されているように既に知られているが、鋼管杭の周側面に螺旋状羽根または翼を有する回転圧入鋼管杭については、比較的新しい技術のこともあって、当該鋼管杭を地盤に対して傾斜した状態で、つまり斜杭として回転させながら圧入施工する技術は未だ知られていない。
【０００３】
【特許文献１】
特開２００２−１６７７６０号公報
【０００４】
前記従来技術の問題点を解決するため、本出願人に係る特願２００１−３６８５４４号及び特願２００３−４６８４８号（何れも未公開）の技術があり、これらは全旋回オールケーシング機を所定の傾斜角度に設置した上、螺旋状羽根を有する回転圧入鋼管杭を斜杭として回転圧入施工できるようにした技術である。
【０００５】
【発明が解決しようとする課題】
本出願人に係る前記の先願発明は、回転圧入鋼管杭を斜杭として回転圧入するに際し、全旋回オールケーシング機を安定に傾斜支持して施工できる点で有利であるが、本発明者が研究の結果さらなる課題を見出した。
【０００６】
すなわち、回転圧入鋼管杭を斜杭として回転圧入するに際し、オールケーシング機の締結把持部（チャック）は、斜杭の外周を締結して回転力を加えつつ下動し、所定ストローク下動した後、杭外周の締結を解除して上動し、前記の動作を繰り返すことで長尺の斜杭の回転圧入が可能となるが、その回転圧入操作に際し、杭外周の締結を解除して上動するとき、斜杭であるが故に、杭の自重で傾きの度合が大きくなってオールケーシング機の杭挿通孔内で偏倚し、杭の外周を取囲んで配置される複数分割のチャック部材に偏った力が作用し、正確な斜杭の傾斜角度保持が難しく、再度の調整に手間取り施工効率が低下する。
【０００７】
前記の問題は杭の回転圧入の初期段階では、地盤により十分に杭を支えることができないことから特に著しく、さらに、継ぎ杭時の杭傾斜管理も困難となる。このため別に傾斜支持装置が必要となって、施工に手間取り、施工精度や施工効率が低下する問題がある。
【０００８】
本発明は前記の問題を解決するもので、全旋回オールケーシング機で回転圧入鋼管杭を斜杭として回転圧入施工するに際し、杭外周の締結を解除したときも、機体に対す斜杭の傾斜角度を容易確実に保持できる斜杭傾斜調整装置を提供することを目的とする。
【０００９】
【課題を解決するための手段】
前記の目的を達成するため、本発明は次のように構成する。
【００１０】
第１の発明は、所定の角度に傾斜設置される全旋回オールケーシング機の上面板の杭挿通孔を通して翼又は螺旋羽根を有する回転圧入鋼管杭を傾斜して機体内に挿入し、回転駆動機構および昇降駆動機構により動作するチャックが、回転圧入鋼管杭の外周を締結して回転力を加えつつ所定ストローク下動した後、杭外周の締結を解除して上動する動作を繰り返す全旋回オールケーシング機において、前記上面板に、治具本体に斜杭振れ止め兼用支持部材を取付けて構成される傾斜調整治具を配置し、かつ位置決め手段より上面板の所定部位に調整位置決めし、前記振れ止め兼用支持部材を斜杭の外周に当てがうことで、機体の杭挿通孔に位置する回転圧入鋼管杭の傾斜を調整可能に構成したことを特徴とする。
【００１１】
第２の発明は、第１の発明における傾斜調整治具の位置決め手段として、治具本体に設けた索条係止部に牽引ロープや牽引チエーン等の索条の一端側を係止すると共に、他端側を上面板に設けた係止部に係止し、索条の長さを調整可能に設けたことを特徴とする。
【００１２】
第３の発明は、第１の発明における傾斜調整治具の位置決め手段として、治具本体に上下方向に貫通する複数のボルト穴を設けると共に、上面板に複数のボルト穴を設け、傾斜調整治具を上面板の所定部位に位置決めしたうえ、前記治具本体と上面板の各ボルト穴に位置決めボルトを締結することを特徴とする。
【００１３】
第４の発明は、第１〜第３の発明における斜杭振れ止め兼用支持部材は、杭の周囲を取囲む湾曲形状であり、その内側支持面には杭の可動促進機構を設けたことを特徴とする。
【００１４】
第５の発明は、第４の発明における杭の可動促進機構が、ボールベアリングまたは回転ローラあるいは低摩擦すべり面の何れかで構成されていることを特徴とする。
【００１５】
【作用】
本発明に係る斜杭傾斜調整装置を用いることにより、全旋回オールケーシング機の杭挿通孔に挿入した回転圧入鋼管杭のオールケーシング機に対する相対傾斜角度を容易かつ正確に保持でき、迅速かつ高精度で斜杭を回転圧入でき、杭傾斜管理を円滑におこなうことができる。さらに施工性が一層向上し施工期間、施工コストの低減などの効果を達成できる。
【００１６】
【発明の実施の形態】
以下、本発明の実施形態を図を参照して説明する。
【００１７】
図１は、全旋回オールケーシング機２を地盤３に対して所定角度傾斜設置したうえ、該オールケーシング機２にて回転圧入鋼管杭（斜杭）１を回転圧入している態様を示す図である。
【００１８】
図１（および図５を一部参照）によって、全旋回オールケーシング機２の概要を説明した後、図２〜図４によって本発明の主要部である斜杭傾斜調整装置を説明する。その後、図５と図６によって全旋回オールケーシング機の概要構造とこれを支持する傾斜調整可能な斜杭施工用架台を説明する。
【００１９】
図１において、全旋回オールケーシング機２は、斜杭施工用架台５によって地盤３に対し所定角度傾斜した態様に支持されており、先端に螺旋状羽根１４を有した回転圧入鋼管杭１は、該オールケーシング機２の中心部を挿通して図５に示すチャック２８によりその外周面をきつく締結されており、チャック２８の回転及び下動により該回転圧入鋼管杭１が地盤３に所定長回転圧入された態様が示されている。
【００２０】
図５において、チャック２８は回転圧入鋼管杭１の外周を取囲む配置に設けられ、円周方向に複数に分割された分割部材としてのチャックカラー２７およびチャックブラケット部５５から構成される。チャック２８は、チャックカラー昇降ジャッキ３９により若干の範囲昇降することにより、回転圧入鋼管杭１の外周面を締結し、かつ締結を解除できる。またチャック２８は、回転体駆動用油圧モータ４４により回転圧入鋼管杭１の外周面を締結した態様で回転できる。さらに、昇降ジャッキ３８により、ベースフレーム３３に反力を取ってチャック２８とチャックカラー昇降ジャッキ３９と回転体駆動用油圧モータ４４を含む機体が昇降できる。
【００２１】
したがって、チャック２８は、チャックカラー昇降ジャッキ３９により回転圧入鋼管杭１の外周面を締結した態様で回転体駆動用油圧モータ４４により回転し、同時に昇降ジャッキ３８により下向きの力が加えられることにより、鋼管杭１は回転しながら下動して地盤３に回転圧入される。
【００２２】
チャック２８が回転しながら所定ストローク下動し、回転圧入鋼管杭１を地盤３に所定長圧入した後、回転体駆動用油圧モータ４４を作動停止すると共に、チャックカラー昇降ジャッキ３９の作動軸を上昇させてチャック２８の鋼管杭１に対する締結を解除し、さらに、昇降ジャッキ３８により機体本体を上動させる。その後、前記の動作を繰り返す。つまりチャック２８の尺取り動作により長尺の回転圧入鋼管杭１を地盤３に回転圧入できる。
【００２３】
チャック２８の尺取り動作において、該チャック２８が回転圧入鋼管杭１の外周面から外側に後退して離れて（つまり締結を解除して）上動し、次工程での締結動作までの間は、オールケーシング機２の機体と回転圧入鋼管杭１は切り離されていて支持するものがない。このため斜杭である回転圧入鋼管杭１は自重で傾斜し、オールケーシング機２の杭挿通部（つまりチャック２８の内方空間）８３内で偏倚し、鋼管杭１を取囲むように配置され、周方向に複数に分割されたチャックカラー２７およびチャックブラケット部５５の周方向の一部に偏って力がかかると共に、斜杭の傾斜角度保持が難しく、次回のチャックカラー２７による締結がスムーズに行かず、再度の調整に手間取り施工効率が低下する。
【００２４】
このように、回転圧入鋼管杭１が斜杭である場合は、オールケーシング機２により該鋼管杭１の傾斜角度を調整して地盤３に正確に回転圧入する作業が円滑にできなくなり、特に、回転圧入時の初期段階では地盤３により鋼管杭１を十分に支えることができないため前記の問題は大きい。
【００２５】
本発明では、全旋回オールケーシング機２における杭挿通孔７７が形成された上面板７６に斜杭傾斜調整装置６４を設けることで前記の問題を解決している。
【００２６】
図２〜図４において斜杭傾斜調整装置６４は、傾斜調整治具６５と、これを所定の位置に支持する牽引ロープ又はチエーン等からなる索条６６とから構成される。傾斜調整治具６５は、例えばＨ形鋼などの鋼材を所定長に切断して構成され横方向に伸長する治具本体６７と、該治具本体６７の前側部の中央部位置に固着した斜杭振れ止め兼用支持部材６８とから構成される。治具本体６７の前側の両端部には索条６６の端部の係止金具６９を着脱自在に係止できる索条係止部７０が設けてある。
【００２７】
斜杭振れ止め兼用支持部材６８は、回転圧入鋼管杭１の周囲を取囲むよう平面湾曲形状に鋼材を組立てて構成されており、背面が補強リブ７１で補強されていると共に、背面中央部の接合部材７２を治具本体６７の前部フランジ７３に当てがい、その当接部がボルト接合部７４で接合されている。
【００２８】
斜杭振れ止め兼用支持部材６８は、回転圧入鋼管杭１を回転自在かつ軸方向スライド自在に支持するもので、その動きを円滑にするため振れ止め兼用支持部材６８の内側支持面には鋼管杭１の可動促進機構を設けるのがよい。図の実施例では、振れ止め兼用支持部材６８の内側支持面の周方向に沿って複数個のユニット型のボールベアリング７５を配設している。このボールベアリング７５により斜杭である回転圧入鋼管杭１は、振れ止め兼用支持部材６８に支持されて円滑に水平回転し、かつ地盤３に向けて推進できる。
【００２９】
前記ボールベアリング７５等の機械的な可動促進機構に代えて、摩擦抵抗が小さく滑りやすい部材、たとえば、フッ素樹脂等の層からなる可動促進部を形成してもよく、これにより回転圧入鋼管杭１の回転動や推進移動が円滑となる。
【００３０】
さらに、振れ止め兼用支持部材６８は、所定の径、所定の長の円形鋼管を湾曲形状となるように切断し、その背面を接合部材を介して治具本体６７の前部にボルト接合することで構成してもよい（図示を省略する）。
【００３１】
次に、斜杭傾斜調整装置６４の使用態様を説明する。
【００３２】
所定角度傾斜して設置されたオールケーシング機２の上面板７６において、杭径よりも大きな孔径の杭挿通孔７７から回転圧入鋼管杭１が上方に突出している。そして傾斜調整治具６５を、振れ止め兼用支持部材６８が回転圧入鋼管杭１の周囲を取囲むように上面板７６に配置する。次に、治具本体６７の索条係止部７０に索条６６の一端部の係止金具６９を着脱自在に係止する。また、上面板７６にはオールケーシング機２をクレーンで吊り上げるためのワイヤーロープ係合用の複数の係合金具７８が設けてあるので、この係合金具７８を利用し、これに索条６６の他端部の係止金具６９を着脱自在に係止する。
【００３３】
さらに、索条６６の両端を治具本体６７の索条係止部７０と上面板７６の係合金具７８に係止したうえ、索条６６の端部（図では中間部）同士を手作業で結び目を作ることにより適宜の索条（ロープ）長さとなるように設定するか、または略図で示す公知の締張治具８０により適宜の索条長さに設定する。索条６６の端部同士を締結する他の手段としてターンバックル方式を使用してもよいもよい。
【００３４】
したがって、傾斜調整治具６５の振れ止め兼用支持部材６８を回転圧入鋼管杭１の傾斜した側を支えるように配置し、索条６６の両端を治具本体６７の索条係止部７０と上面板７６の係合金具７８に係止したうえ、索条６６の端部（図では中間部）同士を手作業で結び目を作ることにより、または、締張治具８０により適切なロープ長さに設定し、これにより、回転圧入鋼管杭１を支える振れ止め兼用支持部材６８の上面板７６上での位置を決める。これにより、斜杭である回転圧入鋼管杭１は、傾斜調整治具６５の振れ止め兼用支持部材６８によりオールケーシング機２の機体側に反力を取って、その杭挿孔内で安定に傾斜支持され、鋼管杭１のチャッキングが解除された回転圧入作業停止時や杭継ぎ時においても、所定の傾斜角度に支持できる。鋼管杭１は、傾斜回転圧入作業時も傾斜調整治具６５で安定に支持されて回転圧入できる。
【００３５】
傾斜調整治具６５を上面板７６上で索条６６を用いて位置決めすることの利点は、次のとおりである。一台の全旋回オールケーシング機２を用いて、径の異なる各種の回転圧入鋼管杭１を回転圧入できるが、その際、傾斜調整治具６５は径の異なる回転圧入鋼管杭１ごとに上面板７６上での配置位置を微妙に変化させる必要がある。この場合、本実施例では索条６６の長さを簡単に調整することにより傾斜調整治具６５の位置を容易迅速に調整して位置決めできる。
【００３６】
傾斜調整治具６５の上面板７６上での位置決めは、索条６６の他にボルト接合にて行ってもよい。例えば、図４（ａ）に示すようにＨ形鋼からなる治具本体６７の両端におけるウエブ８１に複数のボルト穴８２を開設し、これに対応して上面板７６にも前後方向に複数のボルト穴（図示省略）を開設しておき、径の異なる各種の回転圧入鋼管杭１に対応して位置を変えて調整するとき、その変位調整して位置における各ボルト穴８２にボルトを挿入して締結することで、傾斜調整治具６５を上面板７６上に機械的に位置決めできる。
【００３７】
図５、図６を参照して、全旋回オールケーシング機２とこれを傾斜支持する傾斜調整可能な斜杭施工用架台５の構造の概要を説明する。
【００３８】
斜杭施工用架台５において、平面矩形状の鋼製架台本体２０およびその鋼製上面板２３の中央部には、上下方向に貫通する鋼管杭挿通用透孔９が設けられる。また、鋼製上面板２３の４隅部近傍には、前後左右方向に間隔をおいてずれ止め部材２６が溶接にて固着されている。このずれ止め部材２６は、全旋回オールケーシング機２の脚座２５の横方向のずれ止めを図るものである。
【００３９】
架台本体２０の前後の側面部には、左右方向に間隔をおいて液圧式等の複数（図示の場合は４つ）の伸縮式ジャッキ１２が配置されていると共に、ジャッキ１２におけるケーシング１３側がボルト等により架台本体２０に固定されている。伸縮式油圧ジャッキ１２におけるピストン杆１２ｂの先端部には、半球状部１２ｃが一体に設けられ、この半球状部１２ｃには、ほぼ半球状受け面１２ｄを有する鋼製脚座１２ｅが回転可能に取付けられている。鋼製脚座１２ｅは座板１８の上面に係止される。座板１８には杭挿通孔１８ｂが開設されている。
【００４０】
伸縮式ジャッキ１２と、脚座１２ｅとにより、傾斜調整可能な架台側のアウトリガー１２ａ等の伸縮式脚部７が構成されている。そして、伸縮式ジャッキ１２の伸長量または短縮量を調整することにより、斜杭施工用架台５を適宜の傾斜角度に設定できる。斜杭施工用架台５の傾斜角度は、施工条件にもよるが、３〜２５度程度の範囲で適宜設定するとよい。
【００４１】
施工に際しては、クロレラクレーン等を用いて地盤３上に座板１８を配置し、その上面における４隅のずれ止めの内側に斜杭施工用架台５を載置する。
【００４２】
つぎに、水平状態にある斜杭施工用架台５の上面にオールケーシング機２の脚座２５を載置してずれ動かないように固定する。
【００４３】
つぎに、螺旋状羽根１４等を有する回転圧入鋼管杭１をクレーンにより吊下げ支持させると共に、オールケーシング機２におけるチャックカラー２７に回転させながら降下させ、螺旋状羽根１４の部分を通過させた後、鋼管杭１の外周面をチャックカラー２７により締結する。
【００４４】
次に、斜杭施工用架台５における伸縮式ジャッキ１２を伸縮駆動して、前記斜杭施工用架台５を所定角度の傾斜状態にすることにより、オールケーシング機２と回転圧入鋼管杭１は、地盤３または水平面に対して傾斜した状態に配置される。
【００４５】
次いで、図６に示すように、オールケーシング機２の一端側に鋼製反力バー３０の一端部を横軸３１により連結し、鋼製反力バー３０の先端部をクレーンの車体６に係合させて、オールケーシング機２により回転圧入鋼管杭１を回転させる時の回転反力をクレーンの車体６により受けるようにしている。
【００４６】
この状態でオールケーシング機２を駆動すると共に、回転圧入鋼管杭１にオールケーシング機２の上載荷重をかけながら地盤３に回転圧入する。このとき傾斜角度調整用ジャッキ３４を作用させて、オールケーシング機２の傾斜角度を調整することにより、回転圧入鋼管杭１の傾斜角度を微修正または微調整する。
【００４７】
前記の構成により、斜杭施工用架台５を傾斜させて全旋回オールケーシング機２を傾斜させても、該オールケーシング機２と傾斜調整可能な斜杭施工用架台５の係合状態は保持され、該オールケーシング機２の回転反力は、鋼製反力バー３０からなる反力伝達部材１０を介して、クレーンの車体６に伝達させることができる。
【００４８】
次に、全旋回オールケーシング機２を図５を参照して説明すると、矩形環状のベースフレーム３３の４隅部に、下部に脚座２５を有する油圧式等の角度調整用ジャッキ３４のシリンダ３５が固定され、前記ジャッキ３４の可動ピストン３６の先端部に球継手１９を介して脚座２５が取り付けられている。
【００４９】
このように、前記のオールケーシング機２の４隅に配置された角度調整用ジャッキ３４の伸縮量を調整することにより、オールケーシング機２の傾斜角度を適宜微調整でき、さらに、前記ジャッキ３４の可動ピストン３６の先端部に、ほぼ球状部を有すると共に受け座側に半球状受け部を有する球継手１９を介して脚座２５が取り付けられているので、斜杭施工用架台５に脚座２５を安定した状態で載置することができる。
【００５０】
前記ベースフレーム３３上に、昇降フレーム３７を昇降させるための複数本（図では４本）の昇降ジャッキ３８が立設され、前記昇降ジャッキ３８を短縮することにより回転圧入鋼管杭１を圧入するように構成されている。前記昇降フレーム３７下部内側には、ベアリング４０が設けられ、このベアリング４０を介して、上方格点が拡径した内周テーパ面４１が形成された回転体４２が設けられている。前記回転体４２の外周には、環状の外歯車４３が設けられ、その外歯車４３は中間歯車６３を介して、昇降フレーム３７に固定された回転体駆動用油圧モータ４４の駆動歯車４６に噛合している。
【００５１】
回転体４２の内方には、回転圧入鋼管杭１の鋼管部４７を把持して回転するチャックカラー２７が設けられている。チャックカラー２７にはカラー支持ブロック４８がボルト４８ａにより固着されていて、カラー支持ブロック４８の外面には、これにクサビ機能を付与すべく、上方が拡径したテーパ面４９が形成されていて、このテーパ面４９を回転体４２の上部が拡径した内周テーパ面４１とスライド可能に接触させることで、クサビ機構５０を構成している。
【００５２】
チャックカラー２７には、図５に示すように、回転圧入鋼管杭１の螺旋羽根１４と同ピッチの凹溝５１を形成している。そして、オールケーシング機２の上方より回転圧入鋼管杭１を吊り降ろし、螺旋羽根１４を凹溝５１に沿わせて回転させながら螺入することで、螺旋羽根１４をチャックカラー２７の先端の杭把持径調整治具５２と、これに設けた高摩擦材料により押圧把持して回転圧入する。
【００５３】
チャックカラー２７は、円周方向に等間隔で複数（例えば８ヶ所）配置されている。チャックカラー２７は、立て長の箱型断面のチャック本体部５３と、このチャック本体部５３の前側板５４に、上下板と両側板からなる箱型断面のチャックブラケット部５５を固着して構成される。チャックブラケット部５５は、各チャックカラー２７毎に上下方向に位置をずらしながら所定の間隙を開けて上下に多段に設けることにより、円周方向に等間隔で設けた８個のチャックカラー２７の全体の間隙が連続することで、回転圧入鋼管杭１の螺旋羽根１４と同ピッチの凹溝５１が構成される。
【００５４】
全旋回オールケーシング機２により回転圧入鋼管杭１を地盤３に回転圧入する操作は［００２０］〜［００２２］で説明した。ここで再度説明すると、各チャックカラー２７で回転圧入鋼管杭１の外周面を締結したうえ、回転駆動用油圧モータ４４により、各チャックカラー２７を回転させながら、同時に昇降ジャッキ３８によりチャックカラー２７全体を回転圧入鋼管杭１と一体に降下させ、所定ストローク降下した後、回転駆動用油圧モータ４４の作動を停止すると共に、チャックカラー昇降ジャッキ３９を作動させてチャックカラー２７による回転圧入鋼管杭１の外周面の締結を解除したうえ、昇降ジャッキ３８によりチャック２８全体を上昇させ、その後再びチャックカラー２７により回転圧入鋼管杭１の外周面を締結し、回転力を加えながら降下させる動作を繰返して、チャックカラー２７の尺取式の間欠上下動作で、長尺の回転圧入鋼管杭１を地盤３に回転圧入するものである。
【００５５】
前記の作業し際して、本発明に係る斜杭傾斜調整装置６４を用いることで精度よく回転圧入鋼管杭１を斜杭として回転圧入施工できる。
【００５６】
以上実施形態、運用形態について説明したが、本発明は、前記の構成を適宜設計変更して実施することは構わない。
【００５７】
【発明の効果】
本発明に係る全旋回オールケーシング機における斜杭傾斜調整装置は、構成が簡潔でこの装置を用いることにより、全旋回オールケーシング機の杭挿通孔に挿入した回転圧入鋼管杭のオールケーシング機に対する相対傾斜角度を容易かつ正確に保持でき、迅速かつ高精度で斜杭を回転圧入できる。さらに施工性が一層向上し施工期間、施工コストの低減などの効果を達成できる。
【図面の簡単な説明】
【図１】本発明に係る杭傾斜調整装置を設けた全旋回オールケーシング機で回転圧入鋼管杭を斜杭として施工中の側面図である。
【図２】図１の概略平面図である。
【図３】本発明に係る杭傾斜調整装置の斜視図である。
【図４】（ａ）、（ｂ）は、傾斜調整治具の平面図と側面図である。
【図５】全旋回オールケーシング機の概要構造とこれを支持する傾斜調整可能な斜杭施工用架台の縦断側面図である。
【図６】斜杭施工用架台により全旋回オールケーシング機を所定角度傾斜した状態に設置しかつ反力バーを配置した状態を示す側面図である。
【符号の説明】
１  回転圧入鋼管杭（斜杭）
２  全旋回オールケーシング機
３  地盤
５  斜杭施工用架台
６  クレーンの車体
７  伸縮脚部
９  鋼管杭挿通孔
１０  反力伝達部材
１２  伸縮油圧ジャッキ
１２ａ  アウトリガー
１２ｂ  ピストン杆
１２ｃ  半球状部
１２ｄ  半球状受け面
１３  ケーシング
１４  螺旋状羽根（または翼）
１８  座板
１８ｂ  杭挿通孔
１９  球継手
２０  架台本体
２３  上面板
２５  全旋回オールケーシング機の脚座
２６  ずれ止め部材
２７  チャックカラー
２８  チャック
３０  鋼製反力バー
３３  ベースフレーム
３４  角度調整用ジャッキ
３５  シリンダー
３６  可動ピストン
３７  昇降フレーム
３８  昇降ジャッキ
３９  チャックカラー昇降ジャッキ
４１  内周テーパ面
４２  回転体
４３  環状歯車
４４  回転体駆動用油圧モータ
４６  駆動歯車
４７  鋼管部
４８  カラー支持ブロック
４８ａ  ボルト
４９  テーパ面
５０  クサビ機構
５１  凹溝
５２  杭把持径調整治具
５３  チャック本体部
５４  前側板
５５  チャックブラケット部
６３  中間歯車
６４  斜杭傾斜調整装置
６５  傾斜調整治具
６６  索条
６７  治具本体
６８  斜杭振れ止め兼用支持部材
６９  係止金具
７０  索条係止部
７１  補強リブ
７２  接合部材
７３  前部フランジ
７４  ボルト接合部
７５  ボールベアリング
７６  上面板
７７  杭挿通孔
７８  係合金具
８０  締張治具
８１  ウエブ部
８２  ボルト穴
８３  杭挿通部
【図１】
2004308249.tif 000003
【図２】
2004308249.tif 000004
【図３】
2004308249.tif 000005
【図４】
2004308249.tif 000006
【図５】
2004308249.tif 000007
【図６】
2004308249.tif 000008